(57)【要約】  電気泳動ディスプレイユニット（１）は、一連のフレーム期間の間に、画素（１１）を一度だけアドレスすることによって、比較的低電力量且つより効率的に駆動される。各フレーム期間に画素（１１）をアドレスするのと比較して、１つ以上のフレーム期間の持続時間を有する信号に対して、かなりの電力量が節約される。時間間隔（Ｔ１−Ｔ８）により形成される一連のフレーム期間の間、１つ以上のリセットパルス（Ｒ）又は１つ以上の駆動パルス（Ｄｒ）が与えられる。画素（１１）のラインの全ての画素（１１）が不変でなければならない場合、一連のフレーム期間の間、画素（１１）のラインのアドレスをスキップできる。２つ以上のフレーム期間の持続時間を有する信号は、各フレーム期間に画素（１１）に供給される必要はないが、一連のフレーム期間の間に一度だけ画素（１１）にアドレスして一度だけ供給される必要がある。
2007519024.tif 000002
【特許請求の範囲】
【請求項１】
−  画素を有する電気泳動表示パネル、
−  ドライバ、および
−  一連のフレーム期間の間に前記画素を一度アドレスするために前記ドライバを制御するコントローラ、
を有する電気泳動ディスプレイユニット。
【請求項２】
前記コントローラは、
−  振動パルス、
−  一つ以上のリセットパルス、および
−  一つ以上の駆動パルス、
を供給する、請求項１に記載の電気泳動ディスプレイユニット。
【請求項３】
前記一連のフレーム期間は、１つ以上のリセットパルスを提供する時間間隔により形成される、請求項２に記載の電気泳動ディスプレイユニット。
【請求項４】
前記一連のフレーム期間は、１つ以上の駆動パルスを提供する時間間隔により形成される、請求項２に記載の電気泳動ディスプレイユニット。
【請求項５】
前記一連のフレーム期間は、振動パルスを提供する時間間隔により形成される、請求項２に記載の電気泳動ディスプレイユニット。
【請求項６】
前記コントローラに結合されるメモリであって、前記一連のフレーム期間を形成する時間間隔に関する情報を記憶するメモリを更に有する、請求項１に記載の電気泳動ディスプレイユニット。
【請求項７】
前記画素は複数の画素ラインに配され、前記ドライバはラインドライバを有し、前記コントローラは、前記複数の画素ラインのうちの一つの画素ラインの全ての画素が不変のままでなければならない場合、前記一連のフレーム期間の間、前記一つの画素ラインのアドレスをスキップする、請求項１に記載の電気泳動ディスプレイユニット。
【請求項８】
請求項１に記載の電気泳動ディスプレイユニットと、表示されるべき情報を記憶する記憶媒体と、を有する表示装置。
【請求項９】
画素を有する電気泳動表示パネルとドライバとを有する電気泳動ディスプレイユニットを駆動する方法であって、
−  一連のフレーム期間の間、前記画素を一度アドレスするために、前記ドライバを制御するステップ、
を有する、方法。
【請求項１０】
画素を有する電気泳動表示パネルとドライバとを有する電気泳動ディスプレイユニットを駆動するコンピュータ・プログラムであって、
−  一連のフレーム期間の間、前記画素を一度アドレスするために、前記ドライバを制御する機能、
を有する、コンピュータプログラム。
【請求項１１】
電気泳動ディスプレイユニットの電気泳動表示パネルの画素をアドレスするドライバを制御するコントローラであって、
前記コントローラは、一連のフレーム期間の間、前記画素を一度アドレスする、コントローラ。
【発明の詳細な説明】
【技術分野】
【０００１】
本発明は、電気泳動ディスプレイユニット、電気泳動ディスプレイユニットを有する表示装置、電気泳動ディスプレイユニットを駆動する方法、電気泳動ディスプレイユニットを駆動するコンピュータ・プログラム・プロダクト、およびコントローラに関する。
【０００２】
このタイプの表示装置の例は、モニタ、ラップトップコンピュータ、携帯情報端末（ＰＤＡ）、携帯電話、電子ブック、電子新聞、および電子マガジンである。
【背景技術】
【０００３】
従来技術の電気泳動ディスプレイユニットは、国際特許出願ＷＯ９９／５３３７３号から既知である。
この特許出願は、２つの基板を有する電子インクディスプレイを開示しており、この２つの基板のうちの一方の基板は透明であって共通電極（対向電極としても知られている）を有し、他方の基板は行および列に配される画素電極が備えられている。行電極と列電極との間の交差部は画素に関連している。画素は共通電極の一部と画素電極との間に形成される。画素電極はトランジスタのドレインに結合され、そのトランジスタのソースは列電極に結合され、そのトランジスタのゲートは行電極に結合されている。画素、トランジスタ、並びに行電極および列電極の構造は、協働して、アクティブマトリックスを形成する。行ドライバ（選択ドライバ）は、行駆動信号、即ち、或る行の画素を選択する選択信号を供給し、列ドライバ（データドライバ）は、列電極およびトランジスタを介して、選択された行の画素に、列駆動信号、即ちデータ信号を供給する。データ信号は表示されるべきデータに対応しており、選択信号と協働して、１つ以上の画素を駆動する駆動信号（の一部）を形成する。
【０００４】
更に、画素電極と透明基板に備えられる共通電極との間に、電子インクが備えられる。電子インクは、直径がおよそ１０ミクロンから５０ミクロンの複数のマイクロカプセルを有する。各マイクロカプセルは、液体中に懸濁する、正に帯電した白の粒子と負に帯電した黒の粒子とを有する。正の電界が画素電極に印加されると、白の粒子は、マイクロカプセルの、透明基板に向けられた側へと移動し、画素が観測者に見えるようになる。同時に、黒の粒子は、マイクロカプセルの反対側の画素電極に移動し、そこでは黒の粒子は観測者から見えないようになる。負の電界を画素電極に印加することによって、黒の粒子は、マイクロカプセルの、透明基板に向けられた側の共通電極に移動し、画素は観測者に暗く見える。同時に、白の粒子は、マイクロカプセルの反対側の画素電極に移動し、そこでは白の粒子は観測者から見えないようになる。電界が取り除かれると、ディスプレイユニットは粒子の移動により得られた状態をそのまま保ち、双安定性を示す。
【０００５】
電気泳動ディスプレイユニットの光学的応答の画素履歴依存性を低減するために、データ依存信号が供給される前にプリセットデータ信号が供給される。プリセットデータ信号はパルスを有し、このパルスは、電気泳動粒子を２つの電極のうちの一方の電極に静止した状態から解放するのに十分なエネルギーではあるが、この電気泳動粒子を他方の電極に到達させるには小さすぎるエネルギーを表す。画素履歴依存性が低減したので、画素の履歴に関わらず、同一データに対する光学的応答は実質的に等しい。この基本的なメカニズムは、表示装置が所定の状態、例えば黒の状態に切り換えられたあと、電気泳動粒子が静止状態になるという事実によって、説明できる。次に白の状態への切換えが生じたとき、粒子の始動速度はゼロに近いので粒子の運動量は小さい。これによって、履歴依存性が大きくなり、この大きい依存性に打ち勝つために切換時間が長くなる。プリセットデータ信号の印加によって、電気泳動粒子の運動量が増加し、したがってこの依存性が低減し、切換時間が短くなる。
【０００６】
（各行を次々に駆動し、行ごとに全ての列を同時に一回駆動することによって）全ての行の全ての画素を一回駆動するのに必要な時間間隔は、フレームと呼ばれており、固定された時間である。フレームごとに、画素を駆動する各パルスは、行ごとに、行を選択（駆動）するために行駆動信号（選択信号）を当該行に供給する行駆動動作を要求し、パルス（例えばプリセットデータ信号のパルス又はデータ依存信号のパルスなど）を画素に供給する列駆動動作を要求する。
【０００７】
画像を更新するとき、最初にプリセットデータ信号の複数のパルスが供給され、これはプリセットパルスとも呼ばれる。各プリセットパルスは１フレーム期間の持続期間を有する。１番目のプリセットパルスは、例えば正の振幅を有し、２番目のプリセットパルスは負の振幅を有し、３番目のプリセットパルスは正の振幅を有する等である。これらの交互に現れる振幅を有する斯かるプリセットパルスは、画素の表示するグレー値を変化させない。
【０００８】
連続する１つ以上のフレームの間、データ依存信号が供給され、データ依存信号は、ゼロフレーム期間、１フレーム期間、２フレーム期間から、例えば１５フレーム期間の持続時間を有する。これによって、ゼロフレーム期間の持続時間を有するデータ依存信号は、画素が完全な黒を既に表示していたと仮定すると、完全な黒を表示する画素に対応する。画素が或るグレー値を表示した場合、このグレー値は、画素がゼロフレーム期間の持続時間を有するデータ依存信号で駆動されると、つまり、ゼロ振幅を有する駆動パルスで駆動されると、変わらないままである。例えば１５フレーム期間の持続時間を有するデータ依存信号は１５個のパルスを有し、完全な白を表示する画素をもたらし、１フレーム期間から１４フレーム期間の持続時間を有するデータ依存信号は、例えば、１個の駆動パルスから１４個の駆動パルスを有し、完全な黒と完全な白との間の限られた数のグレー値のうちの１つのグレー値を表示する画素をもたらす。
【０００９】
各フレーム期間は、各行の連続的な選択と、選択された行の各画素への駆動パルスの供給とを必要とするので、データ依存信号が２つ以上のフレーム期間の持続時間を有し、２つ以上の駆動パルスを有している場合であっても、電気泳動ディスプレイユニットを駆動するのに比較的大きい電力量が必要とされる。
【００１０】
既知の電気泳動ディスプレイユニットは、とりわけ、電気泳動ディスプレイユニットが駆動に比較的大きい電力量を必要とするので、不利である。
【発明の開示】
【発明が解決しようとする課題】
【００１１】
本発明の目的は、とりわけ、駆動に必要な電力量が比較的小さい電気泳動ディスプレイユニットを提供することにある。
【課題を解決するための手段】
【００１２】
本発明は独立項によって規定される。従属項は有利な実施例を規定する。
【００１３】
本発明の他の目的は、とりわけ、駆動に必要な電力量が比較的小さい電気泳動ディスプレイユニットを有する表示装置を提供し、駆動に必要な電力量が比較的小さい電気泳動ディスプレイユニットで使用される（又は電気泳動ディスプレイユニットと組み合わせて使用される）、電気泳動ディスプレイユニットを駆動する方法および電気泳動ディスプレイユニットを駆動するコンピュータプログラムプロダクトを提供することである。
【００１４】
本発明による電気泳動ディスプレイユニットは、
−  画素を有する電気泳動表示パネル、
−  ドライバ、および
−  一連のフレーム期間の間に上記画素を一度アドレスするために上記ドライバを制御するコントローラ、
を有する。
【００１５】
２つ以上のフレーム期間を有する一連のフレーム期間の間に画素を一度アドレスすることによって、２つ以上のフレーム期間の間に画素を２回以上駆動する場合と比較して、エネルギーが節約される。駆動は、より効率的になる。もちろん、これは、２つ以上のフレーム期間を有するデータ依存信号に対してのみ可能である。一連のフレーム期間の間の画素ごとに節約される電力量は、当該一連のフレーム期間におけるフレーム期間の数に依存し、実質的に、フレーム期間の当該数から１を引き、１００％を掛けて、フレーム期間の当該数で割ったものに等しい。
【００１６】
本発明による電気泳動ディスプレイユニットの一実施例は請求項２に規定されている。リセットパルスは駆動パルスに先行して駆動パルスの固定開始点（固定した黒又は固定した白）を規定することによって、電気泳動ディスプレイユニットの光学的応答を更に向上させる。あるいは、リセットパルスは駆動パルスに先行して駆動パルスのフレキシブルな開始点（黒又は白であり、この開始点は、後続する駆動パルスによって規定されるグレー値に依存して選択され、このグレー値に最も近い）を規定することによって、電気泳動ディスプレイユニットの光学的応答を更に向上させる。
【００１７】
一実施例では、上記一連のフレーム期間は、１つ以上の駆動パルスを提供する時間間隔により形成される。駆動パルスは、通常は２つ以上の駆動パルスの組合せとして提供され、この組合せは２つ以上のフレーム期間の持続時間を有するので、駆動パルスで電気泳動ディスプレイユニットを駆動すると、この時間間隔の間に画素を一度だけアドレスすることにより、もっと多くの電力を節約できる。
【００１８】
一実施例では、上記一連のフレーム期間は、１つ以上のリセットパルスを提供する時間間隔により形成される。リセットパルスは、通常は２つ以上のリセットパルスの組合せとして提供され、この組合せは２つ以上のフレーム期間の持続時間を有するので、リセットパルスで電気泳動ディスプレイユニットを駆動すると、この時間間隔の間に画素を一度だけアドレスすることにより、もっと多くの電力を節約できる。
【００１９】
一実施例では、上記一連のフレーム期間は、振動パルスを提供する時間間隔により形成される。電気泳動ディスプレイユニットのフレームレートが振動パルスに必要なフレームレートよりも長い場合、この時間間隔の間に画素を一度だけアドレスして電力を節約するために、一連のフレーム期間の間に振動パルスを一度供給することが有利である。
【００２０】
本発明による電気泳動ディスプレイユニットの一実施例は、請求項６により規定されている。一連のフレーム期間を形成する時間間隔に関する情報を記憶することによって、パルスを時間間隔ごとに一度供給することができ、時間間隔に等しい持続時間を自動的に得る。
【００２１】
画素が複数の画素ラインに配され、ドライバがラインドライバを有する場合、上記コントローラは、上記複数の画素ラインのうちの一つの画素ラインの全ての画素が不変のままでなければならないとき、上記一連のフレーム期間の間、上記一つの画素ラインのアドレスをスキップすることができる。複数の画素ラインのうちの１つの画素ラインのアドレスをスキップすることは、このラインの全ての画素に対して同時に多くの電力を節約できるという点で、非常に有利である。
【００２２】
例えば、コントローラは一連のフレーム期間のうちの第１のフレーム期間に画素を一度だけ駆動することができ、これによって、画素のどの駆動信号も、この一連のフレーム期間の中の連続する２つのフレーム期間の間に、その値を変えない。
【００２３】
表示装置は電子ブックとすることができ、情報を記憶する記憶媒体は、メモリスティック、集積回路、メモリ、又は、例えば、ディスプレイユニットに表示されるべき本のコンテンツを記憶する他の記憶デバイスとすることができる。
【００２４】
本発明による方法および本発明によるコンピュータ・プログラム・プロダクトの実施例は、本発明による電気泳動ディスプレイユニットの実施例に対応する。
【００２５】
本発明は、特に、２つ以上のフレーム期間の持続時間を有する信号を各フレーム期間に画素に供給する必要がないという洞察に基づいており、特に、一連のフレーム期間の間に画素を一度だけアドレスして、これらの信号を一度だけ供給するという基本的な概念に基づいている。
【００２６】
本発明は、特に、駆動に必要な電力量が比較的小さい電気泳動ディスプレイユニットを提供する問題を解決し、特に、電力が節約され駆動がもっと効率的になるという点で、有利である。
【００２７】
本発明のこれらおよび他の態様は、以下に記載される実施例を基準にして明らかであり、これらの実施例を基準にして説明される。
【発明を実施するための最良の形態】
【００２８】
図１に（断面で）示される電気泳動ディスプレイユニットの画素１１は、ベース基板２と、例えばポリエチレンの２つの基板３、４との間に存在する電子インクを持つ電気泳動フィルム（ベース基板２に積層されている）と、を有する。これら基板のうちの一方の基板３には透明画素電極５が備えられ、他方の基板４には透明共通電極６が備えられる。電子インクは、直径が約１０ミクロンから５０ミクロンの複数のマイクロカプセル７を有する。各マイクロカプセル７は、液体１０に懸濁した、正に帯電した白の粒子８と負に帯電した黒の粒子９とを有する。正の電界が画素電極５に印加されると、白の粒子８は、マイクロカプセル７の、共通電極６を向いている側に移動し、画素は観測者に見えるようになる。同時に、黒の粒子９は、マイクロカプセル７の反対側に移動し、そこでは黒の粒子９は観測者から見えないようになる。画素電極５に負の電界を印加することによって、黒の粒子９は、マイクロカプセル７の、共通電極６を向いている側に移動し、画素は観測者に暗く見える（図示せず）。電界が取り除かれると、粒子８、９はその移動により得られた状態をそのまま保ち、ディスプレイは双安定性を示し、電力を実質的に消費しない。
【００２９】
図２に示される電気泳動ディスプレイユニット１は表示パネルＤＰを有し、この表示パネルＤＰは、行電極即ち選択電極４１、４２、４３と列電極即ちデータ電極３１、３２、３３との交差部の領域に、画素１１のマトリックスを有する。これらの画素１１は全て共通電極６に結合され、各画素１１はそれ自身の画素電極５に結合されている。電気泳動ディスプレイユニット１は、行電極４１、４２、４３に結合された行ドライバ４０と、列電極３１、３２、３３に結合された列ドライバ３０と、を更に有し、画素１１ごとにアクティブスイッチング素子１２を有する。電気泳動ディスプレイユニット１はこれらのアクティブスイッチング素子１２（この実施例では（薄膜）トランジスタ）によって駆動される。行ドライバ４０は行電極４１、４２、４３を連続的に選択し、一方、列ドライバ３０はデータ信号を列電極３１、３２、３３に供給する。好ましくは、コントローラ２０は入力部２１を介して到達する入力データを先ず処理し、次いでデータ信号を発生する。列ドライバ３０と行ドライバ４０との間の相互同期は、駆動ライン２３および２４を介して行われる。行ドライバ４０からの選択信号はトランジスタ１２を介して画素電極５を選択する。トランジスタ１２のドレイン電極は画素電極５に電気的に結合され、トランジスタ１２のゲート電極は行電極４１、４２、４３に電気的に結合され、トランジスタ１２のソース電極は列電極３１、３２、３３に電気的に結合されている。同時に、列電極３１、３２、３３に存在するデータ信号は、トランジスタ１２のドレイン電極に結合される画素１１の画素電極５に送られる。トランジスタの代わりに、ダイオード、ＭＩＭなどの他のスイッチング素子を使用することができる。データ信号および選択信号は協働して駆動信号（の一部）を形成する。
【００３０】
入力部２１を介して受け取ることができる画像情報などの入力データは、コントローラ２０によって処理される。さらに、コントローラ２０は新たな画像に関する新たな画像情報の到達を検出し、それに応答して、受け取った画像情報の処理を開始する。画像情報のこの処理には、新たな画像情報の読込み、コントローラ２０のメモリに記憶された前の画像と新たな画像との比較、温度センサとの相互連絡、駆動波形のルックアップテーブルを含むメモリのアクセス、などが含まれる。最後に、コントローラ２０は、画像情報の処理がいつ完了するかを検出する。
【００３１】
次いで、コントローラ２０は、駆動ライン２３を介して列ドライバ３０に供給されるべきデータ信号を発生し、駆動ライン２４を介して行ドライバ４０に供給されるべき選択信号を発生する。データ信号は、全ての画素１１に対して同じであるデータ非依存信号と、画像１１ごとに違うかもしれないし違わないかもしれないデータ依存信号と、を有する。データ非依存信号はプリセットパルスを形成する振動パルスを有し、データ依存信号は、１つ以上のリセットパルスと１つ以上の駆動パルスとを有する。振動パルスはエネルギーを表すパルスを有しており、このエネルギーは、電気泳動粒子８、９を２つの電極５、６のうちの一方の電極における静止状態から解放するのに十分なエネルギーであるが、粒子８、９を電極５、６のうちの他方の電極に到達させるには小さすぎるエネルギーである。履歴依存性が低いので、画素１１の履歴に関わらず、同一データに対する光学的応答は等しい。したがって、振動パルスによって、電気泳動ディスプレイユニットの光学的応答の画素１１による履歴依存性が低減する。リセットパルスは駆動パルスに先行して駆動パルスのフレキシブルな開始点を規定することによって、さらに光学的応答を向上させる。この開始点は黒レベル又は白レベルとすることができ、この開始点は、後続する駆動パルスによって規定されるグレー値に依存して選択され、このグレー値に最も近い。あるいは、リセットパルスは、データ非依存信号の一部を形成することができ、駆動パルスに先行して駆動パルスの固定開始点を規定することによって、電気泳動ディスプレイユニットの光学的応答を更に向上させることができる。この開始点は固定された黒レベル又は固定された白レベルとすることができる。
【００３２】
図３には、電気泳動ディスプレイユニット１を駆動するための、画素１１に印加される電圧を時間ｔの関数として表す波形が示されている。この波形は、列ドライバ３０を介して供給されるデータ信号を使用して生成される。この波形は、第１の振動パルスＳｈ１と、その後に続く１つ以上のリセットパルスＲと、第２の振動パルスＳｈ２と、１つ以上の駆動パルスＤｒと、を有する。例えば１６個の異なる波形が、例えばルックアップテーブルメモリなどの、コントローラ２０の一部であるおよび／又はコントローラ２０に結合されるメモリに記憶される。入力部２１を介して受け取られるデータに応答して、コントローラ２０は画素１１に対して波形を選択し、対応するドライバ３０、４０および対応するトランジスタ１２を介して、対応する画素１１に、対応する選択信号およびデータ信号を供給する。
【００３３】
フレーム期間は、（各行を次々に駆動して行ごとに全ての列を同時に一回駆動することによって）電気泳動ディスプレイユニット１の全ての画素１１を一回駆動するために使用される時間間隔に対応する。フレームの間にデータ依存信号又はデータ非依存信号を画素１１に供給するために、列ドライバ３０は、コントローラ２０によって、１つの行の全ての画素１１が同時にデータ依存信号又はデータ非依存信号を受け取るように制御される。これは行ごとに行われ、コントローラ２０は行が次々に選択されるように行ドライバ４０を制御する（選択された行の全てのトランジスタ１２は導通状態となる）。データ非依存信号の場合、二行以上を同時に選択できる。
【００３４】
最初のフレームの組の間、第１および第２の振動パルスＳｈ１およびＳｈ２は画素１１に供給され、各振動パルスは１フレーム期間の持続時間を有する。開始振動パルスは例えば正の振幅を有し、次の振動パルスは負の振幅を有し、その次の振動パルスは正の振幅を有する、などである。したがって、交番する振動パルスは、フレーム期間が比較的短い限りは、画素１１によって表示されるグレー値を変更しない。
【００３５】
１つ以上のフレーム期間を有する第２のフレームの組の間、リセットパルスＲの組合せが、更に以下に記載されるように供給される。１つ以上のフレーム期間を有する第３のフレームの組の間、駆動パルスＤｒの組合せが供給され、駆動パルスＤｒの組合せは、ゼロフレーム期間の持続時間を有し実際にゼロの振幅を有するパルスであるか、又は１フレーム期間、２フレーム期間から、例えば１５フレーム期間の持続時間を有する。これによって、ゼロフレーム期間の持続時間を有する駆動パルスＤｒは、例えば、（画素が完全な黒を既に表示していた場合）完全な黒を表示する画素１１に対応する（特定のグレー値を表示していた場合は、ゼロフレーム期間の持続時間を有するパルスで駆動したとき、言い換えると、振幅がゼロのパルスで駆動したとき、このグレー値は変化しない。）。１５フレーム期間の持続時間を有する駆動パルスＤｒの組合せは、連続する１５個のパルスを有し、例えば、完全な白を表示する画素に対応する。１フレーム期間から１４フレーム期間の持続時間を有する駆動パルスＤｒの組合せは、１個のパルスから連続する１４個のパルスを有し、例えば、完全な黒と完全な白との間の限られた数のグレー値のうちの１つのグレー値を表示する画素１１に対応する。
【００３６】
リセットパルスＲは駆動パルスＤｒに先行して駆動パルスＤｒの固定開始点（固定された黒又は固定された白）を規定することによって、電気泳動ディスプレイユニット１の光学的応答をさらに向上させる。あるいは、リセットパルスＲは、駆動パルスＤｒに先行して駆動パルスＤｒのフレキシブルな開始点（黒又は白であり、このフレキシブルな開始点は、後続する駆動パルスによって規定されるべきグレー値に依存して選択され、このグレー値に最も近い）を規定することによって、電気泳動ディスプレイユニットの光学的応答を更に向上させる。
【００３７】
フレーム期間ごとに各パルスに対して駆動動作を一回必要とするので、パルスが、２つ以上のフレーム期間の持続時間を有する（図３に破線で示される、互いに直に続いている２つ以上のサブパルスを有する）リセットパルスＲの組合せ、又は駆動パルスＤｒの組合せであっても、電気泳動ディスプレイユニット１は比較的大きな電力量を必要とする。
【００３８】
図４は、画素１１を駆動する本発明による２つの波形を示し、各波形は画素１１に印加される電圧を表す。上のグラフは、画素１１のグレー状態をライトグレーＧ２又は白色ＷからダークグレーＧ１に変化させるための本発明による波形を示す。第１の振動パルスＳｈ１の後、時間間隔Ｔ１の開始時にパルスを画素１１に一度供給することによって、時間間隔Ｔ１（６個のフレーム期間を有する）の間、リセットパルスＲの組合せの第１の部分が生成される。次いで、時間間隔Ｔ２の開始時に、パルスを画素１１に一度供給することによって、時間間隔Ｔ２（９個のフレーム期間を有する）の間、リセットパルスＲの組合せの第２の部分が生成される。この結果、時間間隔Ｔ２の後、画素１１は黒の状態Ｂであり、第２の振動パルスＳｈ２が供給され、このパルスは画素１１のグレー状態を変化させない。最後に、第２の振動パルスＳｈ２の後、時間間隔Ｔ３の開始時に、パルスを画素１１に一度供給することによって、時間間隔Ｔ３（５個のフレーム期間を有する）の間、駆動パルスＤｒの組合せが生成される。結果として、画素１１はダークグレー状態Ｇ１になる。各フレーム期間ではなく時間間隔Ｔ１＋Ｔ２およびＴ３の間にそれぞれ一度だけ画素１１をアドレスすることによって、リセットパルスＲの組合せと駆動パルスＤｒの組合せが発生するので、電力量がかなり節約される。
【００３９】
図４の下のグラフは、画素１１のグレー状態をダークグレーＧ１又は黒ＢからダークグレーＧ１に変化させるための本発明による波形を示す。第１の振動パルスＳｈ１の後、時間間隔Ｔ１の開始時に、パルスを画素１１に一度供給することによって、時間間隔Ｔ１の間、リセットパルスＲの組合せが生成される。結果として、時間間隔Ｔ１の後、画素１１は黒の状態Ｂである。時間間隔Ｔ２の間、ゼロ振幅のパルスが供給され、次いで、画素１１のグレー状態を変えない第２の振動パルスＳｈ２が供給される。最後に、第２の振動パルスＳｈ２の後、時間間隔Ｔ３の開始時にパルスを画素１１に一度供給することによって、時間間隔Ｔ３の間、駆動パルスＤｒの組合せが発生する。結果として、画素１１はダークグレー状態Ｇ１になる。
【００４０】
ユニット１の第１の画素１１が図４の上のグラフによる駆動波形を必要とし、第２の画素１１が図４の下のグラフによる駆動波形を必要とする場合、コントローラ２０は時間間隔Ｔ２の開始時にユニット１の全ての画素１１をアドレスする。第１の画素１１は、同じ電圧で再アドレスされ（上のグラフ）、第２の画素１１はゼロ電圧でアドレスされる（下のグラフ）。
【００４１】
図５は、画素１１を駆動する本発明による４つの波形を示し、各波形は、画素１１に印加される電圧を表す。上のグラフは、画素１１のグレー状態を白ＷからダークグレーＧ１に変化させるための本発明による波形を示す。第１の振動パルスＳｈ１の後、時間間隔Ｔ４の開始時にパルスを画素１１に一度供給することによって、時間間隔Ｔ４（５個のフレーム期間を有する）の間、リセットパルスＲの組合せの第１の部分が発生する。次いで、時間間隔Ｔ５の開始時にパルスを画素１１に一度供給することによって、時間間隔Ｔ５（５個のフレーム期間を有する）の間、リセットパルスＲの組合せの第２の部分が発生し、時間間隔Ｔ６の開始時にパルスを画素１１に一度供給することによって、時間間隔Ｔ６（５個のフレーム期間を有する）の間、リセットパルスＲの組合せの第３の部分が発生する。この結果、時間間隔Ｔ６の後、画素１１は黒の状態Ｂにあり、第２の振動パルスＳｈ２が供給され、このパルスは画素１１のグレー状態を変化させない。最後に、第２の振動パルスＳｈ２の後、時間間隔Ｔ７の開始時にパルスを画素１１に一度供給することによって、時間間隔Ｔ７（５個のフレーム期間を有する）の間、駆動パルスＤｒの組合せが発生する。結果として、画素１１はダークグレイ状態Ｇ１になる。
【００４２】
図５の上から２番目のグラフは、画素１１のグレー状態をライトグレーＧ２からダークグレーＧ１に変化させるための本発明による波形を示す。第１の振動パルスＳｈ１の後、時間間隔Ｔ４の開始時にパルスを画素１１に一度供給することによって、時間間隔Ｔ４の間、リセットパルスＲの組合せの第１の部分が発生する。次いで、時間間隔Ｔ５の開始時にパルスを画素１１に一度供給することによって、時間間隔Ｔ５の間、リセットパルスＲの組合せの第２の部分が発生する。結果として、時間間隔Ｔ５の後、画素１１は黒の状態Ｂにある。時間間隔Ｔ６の間、ゼロ振幅のパルスが供給され、次いで、第２の振動パルスＳｈ２が供給され、このパルスＳｈ２は画素１１のグレー状態を変化させない。最後に、第２の振動パルスＳｈ２の後、時間間隔Ｔ７の開始時にパルスを画素１１に一度供給することによって、時間間隔Ｔ７の間、駆動パルスＤｒの組合せが発生する。結果として、画素１１はダークグレイ状態Ｇ１になる。
【００４３】
図５の上から３番目のグラフは、画素１１のグレー状態をダークグレーＧ１からダークグレーＧ１に変化させるための本発明による波形を示す。第１の振動パルスＳｈ１の後、時間間隔Ｔ４の開始時にパルスを画素１１に一度供給することによって、時間間隔Ｔ４の間、リセットパルスＲの組合せが発生する。結果として、時間間隔Ｔ４の後、画素１１は黒の状態Ｂにある。時間間隔Ｔ５およびＴ６の間、ゼロ振幅のパルスが供給され、次いで、第２の振動パルスＳｈ２が供給され、このパルスＳｈ２は画素１１のグレー状態を変化させない。最後に、第２の振動パルスＳｈ２の後、時間間隔Ｔ７の開始時にパルスを画素１１に一度供給することによって、時間間隔Ｔ７の間、駆動パルスＤｒの組合せが発生する。結果として、画素１１はダークグレイ状態Ｇ１である。
【００４４】
図５の下のグラフは、画素１１のグレー状態を黒ＢからダークグレーＧ１に変化させるための本発明による波形を示す。画素１１は既に黒の状態Ｂであるので、第１の振動パルスＳｈ１の後、時間間隔Ｔ４、Ｔ５、およびＴ６の間、ゼロ振幅のパルスが供給され、次いで、第２の振動パルスＳｈ２が供給され、このパルスＰｈ２は画素１１のグレー状態を変化させない。最後に、第２の振動パルスＳｈ２の後、時間間隔Ｔ７の開始時にパルスを画素１１に一度供給することによって、時間間隔Ｔ７の間、駆動パルスＤｒの組合せが発生する。結果として、画素１１はダークグレイ状態Ｇ１になる。
【００４５】
図６は、画素１１を駆動する本発明による４つの波形を示し、各波形は、画素１１に印加される電圧を表す。上のグラフは、画素１１のグレー状態を白ＷからライトグレーＧ２に変化させるための本発明による波形を示す。図６の上のグラフは、第２の振動パルスＳｈ２の後、時間間隔Ｔ７の開始時にパルスを画素１１に一度供給することによって、時間間隔Ｔ７（５個のフレーム期間を有する）の間、駆動パルスＤｒの組合せの第１の部分が発生し、時間間隔Ｔ８の開始時にパルスを画素１１に一度供給することによって、時間間隔Ｔ８（５個のフレーム期間を有する）の間、駆動パルスＤｒの組合せの第２の部分が発生するという事実は別にして、図５の上のグラフに一致する。結果として、画素１１はライトグレー状態Ｇ２になる。
【００４６】
図６の上から２番目および３番目のグラフおよび図６の下のグラフは、画素１１のグレー状態がライトグレーＧ２に変化する事実、および、時間間隔Ｔ７の開始時にパルスを画素１１に一度供給することによって、時間間隔Ｔ７（５個のフレーム期間を有する）の間、駆動パルスＤｒの組合せの第１の部分が発生し、時間間隔Ｔ８の開始時にパルスを画素１１に一度供給することによって、時間間隔Ｔ８（５個のフレーム期間を有する）の間、駆動パルスＤｒの組合せの第２の部分が発生するという事実は別にして、図５の上から２番目および３番目のグラフおよび図５の下のグラフに一致する。結果として、画素１１はライトグレー状態Ｇ２になる。
【００４７】
もちろん、図４、図５、および図６の中のグラフは単なる例であり、本発明の範囲から逸脱せずに、グラフの多くの代替例が可能である。画素１１は、一連のフレーム期間の間に一度アドレスされる、言い換えると、画素１１は、各々が２個以上のフレーム期間を有する時間間隔Ｔ１〜Ｔ８のうちのどの時間間隔の間でも一回駆動される。
【００４８】
コントローラ２０は、１個以上のリセットパルスＲと１個以上の駆動パルスＤｒとが供給されるべきである一連のフレーム期間を形成する時間間隔Ｔ１，Ｔ２，Ｔ３，Ｔ４，Ｔ５，Ｔ６，Ｔ７，Ｔ８に関する情報を記憶する例えばルックアップテーブルメモリなどのメモリ（図示せず）を有する、および／又はコントローラ２０はそのメモリに結合される。リセットパルスＲおよび駆動パルスＤｒは、１つの時間間隔につき一度の供給とすることができ、自動的に当該時間間隔に等しい持続期間を有する。
【００４９】
上記の実施例は本発明を限定するものではなく、当業者は添付された特許請求の範囲を逸脱せずに多くの代替実施例を設計できることに注意すべきである。動詞「有する」およびその活用形の使用は、請求項に記載された以外の要素又はステップを排除するものではない。要素が単数であることは、斯かる要素の複数の存在を排除するものではない。本発明は、幾つかの個別の素子を有するハードウェアによって、および適切にプログラムされたコンピュータによって実現できる。幾つかの手段が列挙されている装置の請求項では、これらの手段の一部を、同一のハードウェアのアイテムで実現できる。特定の手段が相互に異なる従属項に列挙されているという単なる事実は、これらの手段の組合せが有利に使用できないことを示すものではない。
【図面の簡単な説明】
【００５０】
【図１】画素を（断面で）示す。
【図２】電気泳動ディスプレイユニットを概略的に示す。
【図３】電気泳動ディスプレイユニットを駆動する波形を示す。
【図４】本発明による２つの波形を示す。
【図５】本発明による４つの波形を示す。
【図６】本発明による４つの波形を示す。
【図１】
2007519024.tif 000003
【図２】
2007519024.tif 000004
【図３】
2007519024.tif 000005
【図４】
2007519024.tif 000006
【図５】
2007519024.tif 000007
【図６】
2007519024.tif 000008
【国際調査報告】
2007519024.tif 000009
2007519024.tif 000010